(57)【要約】  植物に文字や図案を描くにあたり、光合成や呼吸、あるいは蒸散などの生体活動が阻害されることを防止すべく、透明、かつ、通気性を有するシールに類するものに厚み方向に部分的に染料を浸透させた模様層を形成し、それを植物の葉や花びら、実、茎などに貼付する。
2014073076.tif 000002
【特許請求の範囲】
【請求項１】
葉、花びら、実、または茎のいずれか表面に付着され、ほぼ透明で通気性を有し、厚み方向に部分的に染料を浸透させた模様層を形成した植物。
【請求項２】
前記模様層に浸透している染料は葉、花びら、実、または茎の表面近辺の濃度が、葉、花びら、実、または茎の表面から最も離れている模様層表面よりも相対的に染料濃度が低く構成されている請求項１に記載の植物。
【請求項３】
前記模様層は前記葉、花びら、実、または茎のいずれかの表面上にある端には前記染料が浸透していない請求項１又は２に記載の植物。
【請求項４】
前記模様層は前記葉、花びら、実、または茎のいずれかの表面上に付着するための通気性付着層を有する請求項１から３のいずれか一に記載の植物。
【発明の詳細な説明】
【技術分野】
【０００１】
本発明は、文字や図案などが描かれた植物の技術に関する。
【背景技術】
【０００２】
従来、屋内屋外に限らず、さまざまな場所に観賞用の植物が配置され、その場にいる人々の目を楽しませ、また癒しなどを提供している。あるいは、小型の植物や果実などであれば各種イベントの贈答用として用いられたりもしている。【０００３】
また植物はそれ自体で一定以上の美感を生じさせるものであるが、より美観を向上させるため、あるいはエンターテインメント性を向上させるなどのために以下のような技術が提供されている。【０００４】
例えば、特許文献１には、型抜きされたステンシルシートなどを利用して、化粧パウダーで葉や花弁に直接文字や模様などを描き、そのような文字や図案が描かれた植物を贈答用生花とする技術が開示されている。【０００５】
また特許文献２には、転写シートを利用してウレタン樹脂系スクリーンインクなどの印刷インクで描かれた文字や図案を金粉や箔などで加工したのち、生花やブリザードフラワー、ドライフラワーなどに当該文字や図案を転写する技術が開示されている。
【先行技術文献】
【特許文献】
【０００６】
【特許文献１】特開２０１０−００６０３５号公報
【特許文献２】特開２０１０−１４３１３１号公報
【発明の概要】
【発明が解決しようとする課題】
【０００７】
しかし、上記従来の技術には以下のような課題がある。すなわち、上記いずれの技術でも生体である植物の葉などの上に直接インクを印刷または転写させている。そのため、生体表面がインクで覆われてしまい、光合成のための二酸化炭素の取り込みや酸素の排出、呼吸のための酸素の取り込みや二酸化炭素の排出、あるいは蒸散などの生体活動が阻害されてしまう、という課題が生じる。【０００８】
また、インクが直接葉などの生体表面に接触しているため、その生体表面を傷めてしまう可能性がある、といった課題もある。
【課題を解決するための手段】
【０００９】
以上の課題を解決するために、本発明は、通気性を有するシールに類するものに部分的に染料を染み込ませ、それを葉や花びら、実、茎などに付着させた植物を提供する。より具体的には、葉、花びら、実、または茎のいずれか表面に付着され、ほぼ透明で通気性を有し、厚み方向に部分的に染料を浸透させた模様層を形成した植物を提供する。【００１０】
また、上記構成を備え、さらに前記模様層に浸透している染料が葉、花びら、実、または茎の表面近辺の濃度が、葉、花びら、または茎の表面から最も離れている模様層表面よりも相対的に染料濃度が低く構成されている植物も提供する。【００１１】
また、上記構成を備え、さらに前記模様層が前記葉、花びら、実、または茎のいずれかの表面上にある端には前記染料が浸透していない植物も提供する。【００１２】
また、上記構成を備え、さらに前記模様層が前記葉、花びら、実、または茎のいずれかの表面上に付着するための通気性付着層を有する植物も提供する。
【発明の効果】
【００１３】
以上のように本発明の植物では、付着されている文字や図案が印刷された模様層が通気性を有し、かつ厚み方向に染料が部分的に浸透されているので、その植物の酸素や二酸化炭素の吸収や排出、あるいは蒸散などの生体活動をほとんど邪魔することがない。【００１４】
また、染料が直接葉などに触れず模様層によって付着しているため、その生体表面を傷めてしまう可能性も低い。【００１５】
したがって本発明の図案や文字などの装飾が施された植物であれば、その寿命を長くすることができ、長期間その美しさ等を楽しむことができる。
【図面の簡単な説明】
【００１６】
【図１】実施例１の植物に関する外観の一例を表す図
【図２】実施例１の植物における構成の一例を説明するための概略図
【図３】実施例１の植物における模様層の一例を表す図
【図４】実施例１の植物の模様層における染料の浸透の一例を表す図
【図５】実施例１の植物の模様層における染料の浸透の別の一例を表す図
【図６】実施例１の植物の模様層における染料の浸透の、さらに別の一例を表す図
【図７】実施例１の植物本体に付着される前の当初の模様層の構造の一例を表す概略図
【図８】実施例１の植物本体に付着された後の模様層の一例について説明するための概略図
【発明を実施するための形態】
【００１７】
以下に、図を用いて本発明の実施の形態を説明する。なお、本発明はこれら実施の形態に何ら限定されるものではなく、その要旨を逸脱しない範囲において、種々なる態様で実施しうる。
【００１８】
なお、実施例１は、主に請求項１から４について説明する。
【００１９】
≪実施例１≫
【００２０】
＜概要＞
【００２１】
図１は、本実施例の植物に関する外観の一例を表す図である。この図にあるように、本実施例の植物には、その葉、花びら、茎などの表面に「結婚おめでとう」などの文字（０１０１）や、「ハートマーク」などの図案（０１０２）が施されている。したがって、例えば結婚をした友人への贈答用として、単なる植物単体よりもより価値のあるプレゼントとし、友人を喜ばせることができる。
【００２２】
そして本実施例の植物では、この文字や図案が植物表面に直接描かれているのではなく、詳細は後述するように通気性を有するシールに類するものに部分的に染料を染み込ませ、それを付着させることで描かれたものであることを特徴とする。そのため、生体である植物表面の光合成や呼吸、蒸散などの生体活動を阻害することがなく、また植物表面をインクの接触などで傷つけることもない。
【００２３】
したがって、この植物は文字や図案が染料でその表面などに描かれていないものと同等の寿命であることが期待でき、長期間その美しさ等を楽しむことができる。
【００２４】
＜構成＞
【００２５】
図２は、本実施例の植物における構成の一例を説明するための、葉の断面を示す概略図である。この図にあるように、「植物」（０２００）の一部である「葉」（０２０１）の表面には、「染料」（０２１０）を浸透させた「模様層」（０２０２）が付着されている。
【００２６】
なお植物についてその種類などは特に限定しない。陸上植物のみならず水中植物であっても良いし、観賞用、贈答用、あるいは食用や薬用などその目的も様々であって良い。
【００２７】
また、この葉など植物の表面と模様層との付着手段は特に限定しない。ただし、模様層の通気性の確保や植物表面への影響などを考慮して、接着剤などで構成される付着層を付着手段として用いるのであれば、当該付着層も通気性を有した通気性付着層であることが望ましい。また付着層を接着剤で構成するのであれば、当該接着剤は生体に対する刺激の少ないものであることが望ましい。
【００２８】
また、そのほかの付着手段としては、例えば模様層を自己吸着機能を備えるシリコン素材などとして植物表面と付着するよう構成しても良い。
【００２９】
そしてこの模様層（付着層やその他の層を含んでいても良い）は、図３に示すようにほぼ透明で、また例えば通気用の穴が複数空いているなどして所定の通気性を有していることを特徴とする。なお模様層がどの程度の通気性を備えているかは特に限定しないが、光合成や呼吸、蒸散など植物の生体活動に問題が生じない程度の通気性であることが望ましい。また、模様層の素材としては、例えばポリエチレン、ポリエステル、ポリプロピレン、ポリメチルペンテン、エチレン酢酸ビニル樹脂、エチレンエチルアクリレート樹脂、エチレンアクリル酸樹脂、エチレンメタクリル酸樹脂、エチレンアクリル酸メチル樹脂などが挙げられる。
【００３０】
そしてこの模様層には染料が浸透され、それが文字や図案を形成しているが、図４に示すように、その染料の浸透は模様層の厚み方向に部分的であることも特徴とする。このように構成することで、染料が例えば模様層の微細な穴の多くを塞いでしまうなどして、その通気性を阻害することを防ぐことができる。また、このように浸透を部分的なものとするため、この「染料」は模様層に均一に分散するような、いわゆる「顔料」以外の着色材料であることが望ましい。ただし所定の印刷技法などによって顔料を模様層の厚み方向に部分的に浸透させるのであれば、当該顔料を着色材料としても良い。
【００３１】
また、図５に示すように、この「模様層」（０５００）に浸透している「染料」（０５１０Ａ，０５１０Ｂ）は、葉などの表面近辺の濃度が、その葉の表面から最も離れている模様層表面よりも相対的に染料濃度が低くなるように構成されていても良い。なお、これは、例えば模様層（葉と逆側の層）の表面近辺の濃度を１００％として、そこから離れるに従って徐々に濃度が低くなるような浸透分布（図５の０５１０Ａのような分布）であっても良いし、模様層の表面近辺から所定距離以内ではほぼ同じ濃度で、所定距離以降では濃度がほぼ０％となるような浸透分布（図５の０５１０Ｂのような分布）であっても良い。そして、このような構成とすることで、模様層の付着後長時間経過しても葉に触れる染料を比較的少なくすることができ、染料と生体である葉との接触による葉へのダメージの発生を防ぐことができる。
【００３２】
また、図６に示すように、この「模様層」（０６００）は、葉のいずれかの表面上にある端（例えば破線で示す領域０６０１）には前記「染料」（０６１０）が浸透していないように構成されていても良い。このような構成とすることで、染料が模様層から染み出してしまうことを防ぐことができる。したがって、模様層に染料で印刷された文字や図案の美しさを長期間維持することができ、また葉などの表面へ染料が染み出し接触することによるダメージの発生を防ぐこともできる。
【００３３】
なお上記各図を用いた説明では模様層を葉に付着した植物を例に挙げて説明しているが、もちろん模様層は、植物の花びらや茎、実、その他の表面に付着されていて良い。
【００３４】
また、植物の花びらや葉、茎、実、その他の表面のいずれか一箇所だけではなく、複数箇所に模様層が形成されても良い。さらに本発明の植物は、花びらや葉、茎、実、そして根までが一体となり土や水などに根を張った状態の生体として植物に限定されず、例えば贈答用などとして根が切られた花びらや葉、茎の組み合わせ、あるいは葉や実単体のものであっても良い。このように根が切られた状態や葉や実単体の状態でも、植物は比較的長時間呼吸や光合成などの生体活動を続けており、模様層を上記実施例のようにすることで、その生体活動を阻害せずに美観や鮮度などを長持ちさせることができる。
【００３５】
＜植物への模様層の付着手順＞
【００３６】
図７は、植物本体に付着される前の当初の模様層の構造の一例を表す概略図である。また図８は、植物本体に付着された後の模様層の一例について説明するための概略図である、以下、これらの図を用いて、植物に模様層を付着する手順の一例を説明する。
【００３７】
この図７にあるように、植物本体に付着される前の当初の「模様層」（０７００）は、例えば最初に印刷がされる「透過層」（０７０１）と、「土台層」（０７０２）と、接着用部材などからなる「付着層」（０７０３）が順に積層して構成されている。
【００３８】
そして、まずインクジェットプリンタなどの印刷手段で透過層に対して水溶性の「染料インク」（０７１０）を浸透させ文字や図案を印刷する。つづいて図示しない付着層の保護シートを外して付着層の接着面を露出させ、当該接着面で葉や花びらなどに模様層を貼り付ける。
【００３９】
つづいて、水分を含ませた布やティッシュなどで透過層の上をなぞり透過層に水分を供給すると、図８に示すように水溶性の「染料インク」（０８１０）がその水分とともに「土台層」（０８０２）に遷移する。そして「透過層」（０８０１）を土台層から剥離すると、厚み方向に部分的に染料が浸透した土台層および「付着層」（０８０３）を模様層として、それが葉などに付着した植物が形成される、という具合である。
【００４０】
なお、上記例は一例であって、例えば染料を不溶性のものとしてもよいし、また透過層を設けず直接土台層にプリンタなどで印刷を行い、その厚み方向に染料を部分的に浸透させるような方法であっても良い。
【００４１】
＜効果の簡単な説明＞
【００４２】
以上のように、本実施例の植物に付着されている文字や図案が印刷された模様層は、通気性を有し、かつ厚み方向に染料が部分的に浸透されているので、その植物の酸素や二酸化炭素の吸収や排出、あるいは蒸散などの生体活動をほとんど邪魔することがない。
【００４３】
また、染料が直接葉などに触れず模様層によって付着しているため、その生体表面を傷めてしまう可能性も低い。
【００４４】
したがって本発明の図案や文字などの装飾が施された植物であれば、その寿命を長くすることができ、長期間その美しさ等を楽しむことができる。
【符号の説明】
【００４５】
０２００  植物
０２０１  葉
０２０２  模様層
【図１】
2014073076.tif 000003
【図２】
2014073076.tif 000004
【図３】
2014073076.tif 000005
【図４】
2014073076.tif 000006
【図５】
2014073076.tif 000007
【図６】
2014073076.tif 000008
【図７】
2014073076.tif 000009
【図８】
2014073076.tif 000010
【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
葉、花びら、実、または茎のいずれか表面に付着され、ほぼ透明で通気性を有し、厚み方向に部分的に染料を浸透させた模様層を形成した植物であって、  前記模様層に浸透している染料は葉、花びら、実、または茎の表面近辺の濃度が、葉、花びら、実、または茎の表面から最も離れている模様層表面よりも相対的に染料濃度が低く構成されている植物。
【請求項２】
前記模様層は前記葉、花びら、実、または茎のいずれかの表面上にある端には前記染料が浸透していない請求項１に記載の植物。
【国際調査報告】
2014073076.tif 000011
2014073076.tif 000012
2014073076.tif 000013
2014073076.tif 000014